(57)【要約】【課題】小型化及び低コスト化が可能なモニタ装置と、そのモニタ装置を用いたＤＶＯＲシステム及びＤＶＯＲ装置監視方法を提供すること。【解決手段】ＤＶＯＲ装置１０におけるＤＶＯＲ送信機１１，１２の切換え順序が予め設定されており、ＤＶＯＲ装置１０は、送信機１１，１２の切り換えと共にトランスファ信号を送信し、ＤＶＯＲ信号の停止と共にシャットダウン信号を送信する。モニタ装置２０は、ＤＶＯＲ装置１０からのＤＶＯＲ信号を受信し、この信号に異常があるか否かを監視する。モニタ装置２０は、受信信号に異常がある場合、その異常が発生した要因を識別表示し、ＤＶＯＲ装置１０からのトランスファ信号及びシャットダウン信号の受信により、この識別表示結果を記憶する。モニタ装置２０は、要求に応じて記憶した識別表示結果を読み出し表示する。【選択図】      図１
2010038757.tif 000002
【特許請求の範囲】
【請求項１】
ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置と、
前記ＤＶＯＲ装置から輻射されるＤＶＯＲ信号を受信し、当該ＤＶＯＲ信号に予め決められた複数の要因それぞれについて異常の有無を判定し、当該判定結果に基づいて異常のあった要因を識別表示すると共に前記ＤＶＯＲ装置に異常発生の警報信号を送信するモニタ装置と
を具備し、
前記ＤＶＯＲ装置は、
前記モニタ装置から１回目の前記警報信号を受信した場合、前記第１及び第２のＤＶＯＲ送信機の送信信号の選択を切り換えると共に切換信号を前記モニタ装置に送信し、
前記モニタ装置から２回目の前記警報信号を受信した場合、前記ＤＶＯＲ信号の輻射を停止すると共に停止信号を前記モニタ装置に送信し、
前記モニタ装置は、
前記切換信号を受信した場合、その時の前記異常のあった要因の識別表示結果を第１の表示データとして記憶し、
前記停止信号を受信した場合、その時の前記異常のあった要因の識別表示結果を第２の表示データとしてさらに記憶し、
前記第１及び第２の表示データを要求に応じて選択的に読み出し表示することを特徴とするＤＶＯＲシステム。
【請求項２】
前記モニタ装置は、
受信したＤＶＯＲ信号に予め決められた複数の要因それぞれについて異常の有無を判定する判定手段と、
前記判定結果に基づいて異常のあった要因を識別表示する表示手段と、
記憶手段と、
前記警報信号を前記ＤＶＯＲ装置に送信する送信手段と、
前記切換信号を受信した場合、前記第１の表示データを前記記憶手段に記憶させ、前記停止信号を受信した場合、前記第２の表示データを前記記憶手段にさらに記憶させ、要求に応じて前記第１及び第２の表示データのうちいずれか一方を前記記憶手段から読み出して前記表示手段に表示させる制御手段と
を具備することを特徴とする請求項１記載のＤＶＯＲシステム。
【請求項３】
前記モニタ装置は、前記表示手段に対する指示入力を受け付ける入力操作手段をさらに備え、
前記制御手段は、前記記憶手段に前記第１の表示データが記憶されている場合に前記入力操作手段からの指示を受け取ると、前記表示手段に前記第１の表示データを表示させることを特徴とする請求項２記載のＤＶＯＲシステム。
【請求項４】
前記モニタ装置は、前記表示手段に対する指示入力を受け付ける入力操作手段をさらに備え、
前記制御手段は、前記記憶手段に前記第２の表示データが記憶されている場合は、当該第２の表示データを前記表示手段に標準的に表示させ、この状態で前記入力操作手段から指示を受け取ると、前記表示手段の表示を前記第２の表示データの表示から前記第１の表示データの表示に切り替えることを特徴とする請求項２記載のＤＶＯＲシステム。
【請求項５】
ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置における異常の発生を監視するモニタ装置において、
前記ＤＶＯＲ信号を受信する受信手段と、
前記受信したＤＶＯＲ信号に予め決められた複数の要因それぞれについて異常の有無を判定する判定手段と、
前記判定結果に基づいて異常のあった要因を識別表示する表示手段と、
前記判定結果に基づいて異常発生の警報信号を前記ＤＶＯＲ装置に送信する送信手段と、
前記ＤＶＯＲ装置が前記第１及び第２のＤＶＯＲ送信機の送信信号の選択を切り換える際に送信する切換信号と、前記ＤＶＯＲ装置が前記ＤＶＯＲ信号の輻射を停止する際に送信する停止信号とを受信する受信手段と、
記憶手段と、
前記切換信号を受信した場合、その時の前記異常のあった要因の識別表示結果を第１の表示データとして前記記憶手段に記憶させ、前記停止信号を受信した場合、その時の前記異常のあった要因の識別表示結果を第２の表示データとして前記記憶手段にさらに記憶させ、要求に応じて前記第１及び第２の表示データのうちいずれか一方を前記記憶手段から読み出して前記表示手段に表示させる制御手段と
を具備することを特徴とするモニタ装置。
【請求項６】
前記表示手段に対する指示入力を受け付ける入力操作手段をさらに備え、
前記制御手段は、前記記憶手段に前記第１の表示データが記憶されている場合に前記入力操作手段からの指示を受け取ると、前記表示手段に前記第１の表示データを表示させることを特徴とする請求項５記載のモニタ装置。
【請求項７】
前記表示手段に対する指示入力を受け付ける入力操作手段をさらに備え、
前記制御手段は、前記記憶手段に前記第２の表示データが記憶されている場合は、当該第２の表示データを前記表示手段に標準的に表示させ、この状態で前記入力操作手段から指示を受け取ると、前記表示手段の表示を前記第２の表示データの表示から前記第１の表示データの表示に切り換えることを特徴とする請求項５記載のモニタ装置。
【請求項８】
ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置における異常の発生を監視するためのＤＶＯＲ装置監視方法において、
前記ＤＶＯＲ信号を受信し、
前記受信したＤＶＯＲ信号に予め決められた複数の要因それぞれについて異常の有無を判定し、
前記判定結果に基づいて異常のあった要因を識別表示し、
前記判定結果に基づいて異常発生の警報信号を前記ＤＶＯＲ装置に送信し、
前記ＤＶＯＲ装置が前記第１及び第２のＤＶＯＲ送信機の送信信号の選択を切り換える際に送信する切換信号を受信した場合、その時の前記異常のあった要因の識別表示結果を第１の表示データとして記憶し、
前記ＤＶＯＲ装置が前記ＤＶＯＲ信号の輻射を停止する際に送信する停止信号を受信した場合、その時の前記異常のあった要因の識別表示結果を第２の表示データとしてさらに記憶し、
前記第１及び第２の表示データを要求に応じて選択的に読み出し表示することを特徴とすることを特徴とするＤＶＯＲ装置監視方法。
【請求項９】
前記表示に対する指示の入力を受け付け、
前記第１の表示データが記憶されている場合に前記指示を受け取ると、前記第１の表示データを表示することを特徴とする請求項８記載のＤＶＯＲ装置監視方法。
【請求項１０】
前記表示に対する指示の入力を受け付け、
前記第２の表示データが記憶されている場合は、当該第２の表示データを標準的に表示し、
前記第２の表示データが記憶されている場合に前記指示を受け取ると、前記表示を前記第２の表示データの表示から前記第１の表示データの表示に切り換えることを特徴とする請求項８記載のＤＶＯＲ装置監視方法。
【発明の詳細な説明】
【技術分野】
【０００１】
本発明は、ＤＶＯＲ装置からのＤＶＯＲ信号を受信して、ＤＶＯＲ装置を監視するモニタ装置と、このモニタ装置を用いたＤＶＯＲシステム及びＤＶＯＲ装置監視方法に関する。
【背景技術】
【０００２】
一般に航空機は、ＤＶＯＲ装置から送信されるＤＶＯＲ信号を受信し、基準点磁北からの方位情報を取得している。ＤＶＯＲシステムでは、この様なＤＶＯＲ装置を監視し、ＤＶＯＲ信号の信頼性を確保するようにしている（例えば、特許文献１参照。）。
【０００３】
ＤＶＯＲシステムは、現用系及び冗長系のＤＶＯＲ送信機を備えるＤＶＯＲ装置とモニタ装置とを具備する。ＤＶＯＲ装置は、現用系及び冗長系のＤＶＯＲ送信機から送信される送信信号を選択的にＤＶＯＲ送信アンテナに導出してＤＶＯＲ信号を輻射する。モニタ装置は、ＤＶＯＲ装置から輻射されたＤＶＯＲ信号を受信して解析し、規定のＤＶＯＲ信号が出力されていることを常時モニタする。
【０００４】
このとき、ＤＶＯＲ装置は、ＤＶＯＲ信号を輻射すると共に、いずれのＤＶＯＲ送信機からの送信信号が選択されているのかをモニタ装置に通知する。モニタ装置は、ＤＶＯＲ装置からの通知信号により送信信号を送信しているＤＶＯＲ送信機を判別する。そして、受信したＤＶＯＲ信号が規定の条件を満足していない場合、モニタ装置上に設置された各送信機に対応する表示部に異常の要因を識別表示する。また、モニタ装置は、受信したＤＶＯＲ信号が規定の条件を満足していない場合、異常発生のアラーム信号をＤＶＯＲ装置に対して送信する。ＤＶＯＲ装置は、このアラーム信号を受信すると、第１及び第２のＤＶＯＲ送信機の送信信号の選択を切り換え、又は、ＤＶＯＲ信号の輻射を停止する。
【０００５】
ところで、モニタ装置は小型化及び低コスト化が要望されている。しかしながら、モニタ装置は、ＤＶＯＲ装置からの通知信号を受け、いずれのＤＶＯＲ送信機からの送信信号が選択されているのかを判別しているため、その判別のために所定の処理を行う必要がある。また、モニタ装置は、現用系及び冗長系のＤＶＯＲ送信機それぞれにおける異常の要因を識別表示しないとならないため、各ＤＶＯＲ送信機に対応した表示部を設置しなければならない。これらのことは、モニタ装置の小型化及び低コスト化を妨げる要因となっている。
【特許文献１】特開２００１−２４９１７２号公報
【発明の開示】
【発明が解決しようとする課題】
【０００６】
以上のように、従来のＤＶＯＲシステムにおけるモニタ装置は、送信信号が選択されているＤＶＯＲ送信機を判別するための処理を行わねばならず、また、各送信機に対応する表示部を備える必要があるため、小型化及び低コスト化が困難であった。
【０００７】
本発明は上記事情によりなされたもので、その目的は、小型化及び低コスト化が可能なモニタ装置と、そのモニタ装置を用いたＤＶＯＲシステム及びＤＶＯＲ装置監視方法を提供することにある。
【課題を解決するための手段】
【０００８】
上記目的を達成するため、本発明に係るＤＶＯＲシステムは、ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置と、前記ＤＶＯＲ装置から輻射されるＤＶＯＲ信号を受信し、当該ＤＶＯＲ信号に予め決められた複数の要因それぞれについて異常の有無を判定し、当該判定結果に基づいて異常のあった要因を識別表示すると共に前記ＤＶＯＲ装置に異常発生の警報信号を送信するモニタ装置とを具備し、前記ＤＶＯＲ装置は、前記モニタ装置から１回目の前記警報信号を受信した場合、前記第１及び第２のＤＶＯＲ送信機の送信信号の選択を切り換えると共に切換信号を前記モニタ装置に送信し、前記モニタ装置から２回目の前記警報信号を受信した場合、前記ＤＶＯＲ信号の輻射を停止すると共に停止信号を前記モニタ装置に送信し、前記モニタ装置は、前記切換信号を受信した場合、その時の前記異常のあった要因の識別表示結果を第１の表示データとして記憶し、前記停止信号を受信した場合、その時の前記異常のあった要因の識別表示結果を第２の表示データとしてさらに記憶し、前記第１及び第２の表示データを要求に応じて選択的に読み出し表示することを特徴とする。
【０００９】
また、本発明に係るモニタ装置は、ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置における異常の発生を監視するモニタ装置において、前記ＤＶＯＲ信号を受信する受信手段と、前記受信したＤＶＯＲ信号に予め決められた複数の要因それぞれについて異常の有無を判定する判定手段と、前記判定結果に基づいて異常のあった要因を識別表示する表示手段と、前記判定結果に基づいて異常発生の警報信号を前記ＤＶＯＲ装置に送信する送信手段と、前記ＤＶＯＲ装置が前記第１及び第２のＤＶＯＲ送信機の送信信号の選択を切り換える際に送信する切換信号と、前記ＤＶＯＲ装置が前記ＤＶＯＲ信号の輻射を停止する際に送信する停止信号とを受信する受信手段と、記憶手段と、前記切換信号を受信した場合、その時の前記異常のあった要因の識別表示結果を第１の表示データとして前記記憶手段に記憶させ、前記停止信号を受信した場合、その時の前記異常のあった要因の識別表示結果を第２の表示データとして前記記憶手段にさらに記憶させ、要求に応じて前記第１及び第２の表示データのうちいずれか一方を前記記憶手段から読み出して前記表示手段に表示させる制御手段とを具備する。
【００１０】
また、本発明に係るＤＶＯＲ装置監視方法は、ＤＶＯＲ（Doppler VHF Omnidirectional Radio Range）信号を送信するための第１及び第２のＤＶＯＲ送信機の送信信号を選択的にＤＶＯＲ送信アンテナに導出してＤＶＯＲ信号を輻射するＤＶＯＲ装置における異常の発生を監視するためのＤＶＯＲ装置監視方法において、前記ＤＶＯＲ信号を受信し、前記受信したＤＶＯＲ信号に予め決められた複数の要因それぞれについて異常の有無を判定し、前記判定結果に基づいて異常のあった要因を識別表示し、前記判定結果に基づいて異常発生の警報信号を前記ＤＶＯＲ装置に送信し、前記ＤＶＯＲ装置が前記第１及び第２のＤＶＯＲ送信機の送信信号の選択を切り換える際に送信する切換信号を受信した場合、その時の前記異常のあった要因の識別表示結果を第１の表示データとして記憶し、前記ＤＶＯＲ装置が前記ＤＶＯＲ信号の輻射を停止する際に送信する停止信号を受信した場合、その時の前記異常のあった要因の識別表示結果を第２の表示データとしてさらに記憶し、前記第１及び第２の表示データを要求に応じて選択的に読み出し表示することを特徴とすることを特徴とする。
【００１１】
上記構成によるＤＶＯＲ装置監視システム、モニタ装置及びＤＶＯＲ装置監視方法では、ＤＶＯＲ送信機の送信信号の選択の切り換え及びＤＶＯＲ信号の停止の処理順序は予め決められている。このため、モニタ装置における識別表示結果の記憶順序を把握しておけば、モニタ装置における表示部が各送信機に対応していなくても、表示部に表示された内容がいずれの送信機における表示データなのかを判別することができる。これに伴い、ＤＶＯＲ装置は、いずれのＤＶＯＲ送信機からの送信信号が選択されているのかを通知する必要がなくなることとなる。
【発明の効果】
【００１２】
本発明によれば、小型化及び低コスト化が可能なモニタ装置と、そのモニタ装置を用いたＤＶＯＲシステム及びＤＶＯＲ装置監視方法を提供することができる。
【発明を実施するための最良の形態】
【００１３】
以下、図面を参照しながら本発明に係るＤＶＯＲシステム、モニタ装置及びＤＶＯＲ装置監視方法の実施の形態について詳細に説明する。
【００１４】
図１は、本発明の一実施形態に係るＤＶＯＲシステムの構成を示すブロック図である。図１に示すＤＶＯＲシステムでは、ＤＶＯＲ装置１０から輻射されるＤＶＯＲ信号をモニタ装置２０で受信し、このモニタ装置２０によりＤＶＯＲ装置における異常の発生を監視する。
【００１５】
ＤＶＯＲ装置１０は、現用系のＤＶＯＲ送信機１１と、冗長系のＤＶＯＲ送信機１２と、切換部１３と、制御部１４と、送受信部１５と、ＤＶＯＲ送信アンテナ１６とを具備する。
【００１６】
ＤＶＯＲ送信機１１，１２は、ＤＶＯＲ信号を輻射するための送信信号を切換部１３に出力する。  
切換部１３は、ＤＶＯＲ送信機１１，１２からの送信信号を受け取り、いずれか一方を選択的にＤＶＯＲ送信アンテナ１６に供給する。切換部１３は、初期状態では、現用系ＤＶＯＲ送信機１１からの送信信号を選択している。切換部１３は、制御部１４から切換指示を受けると、ＤＶＯＲ送信機１１の送信信号の選択から、ＤＶＯＲ送信機１２の送信信号の選択に切り換える。また、切換部１３は、制御部１４から停止指示を受けると、ＤＶＯＲ送信アンテナ１６への信号の供給を停止する。ＤＶＯＲ送信アンテナ１６は、切換部１３から供給される送信信号に基づいてＤＶＯＲ信号を輻射する。なお、以下では、現用系から冗長系への切換動作をトランスファとし、運用停止をシャットダウンとして説明する。
【００１７】
制御部１４は、送受信部１５で最初のアラーム信号が受信された場合、切換指示を切換部１３に付与すると共にトランスファ信号をモニタ装置２０に送信する旨の指示を送受信部１５に対して行う。また、送受信部１５で２回目のアラーム信号が受信された場合、停止指示を切換部１３に付与すると共にシャットダウン信号をモニタ装置２０に送信する旨の指示を送受信部１５に対して行う。これにより、切換指示の付与及びトランスファ信号の送信を行う前は、現用系のＤＶＯＲ送信機１１からの送信信号が選択される。また、切換指示の付与及びトランスファ信号の送信を行ってから、停止指示の付与及びシャットダウン信号の送信を行う前までは冗長系のＤＶＯＲ送信機１２からの送信信号が選択される。そして、停止信号の付与及びシャットダウン信号の送信を行った後は、ＤＶＯＲ信号の輻射を停止するようになっている。そのため、ＤＶＯＲ装置１０は、現用系及び冗長系のいずれの送信機からのＤＶＯＲ信号を輻射しているかをモニタ装置２０に通知する必要は無い。
【００１８】
送受信部１５は、トランスファ信号及びシャットダウン信号をモニタ装置２０に送信する。また、送受信部１５は、モニタ装置２０からのアラーム信号を受信する。
【００１９】
図２は、本発明の一実施形態に係るモニタ装置２０の機能構成を示すブロック図である。モニタ装置２０は、ＤＶＯＲ装置１０からのＤＶＯＲ信号をモニタアンテナ２１で受信し、信号監視部２２で受信したＤＶＯＲ信号の監視処理を行う。
【００２０】
モニタ装置２０は、信号監視部２２において、受信したＤＶＯＲ信号を復調部２２１で復調し、処理部２２２で受信処理する。そして、判定部２２３で受信処理された信号に予め決められた複数の要因それぞれについての異常があるか否かを判定する。このとき、予め決められた要因とは、ＤＶＯＲ信号が示す角度（ＢＥＡＲＩＮＧ）、ＤＶＯＲ信号の受信強度（ＲＦ  ＬＥＶＥＬ）、ＤＶＯＲ信号の変調度（３０Ｈｚ  ＡＭ及び９９６０Ｈｚ  ＦＭ）、ドップラー効果の偏差（ＦＭ  ＤＥＶ）及びＤＶＯＲ装置１０の識別番号（ＩＤ）のことである。判定部２２３は、これらのパラメータが規定の値であるか否かを判定し、その判定結果を制御部２２６に供給する。なお、本実施形態では、これらのパラメータにおける異常の有無を判定する例について説明しているが、本発明は、これらに限定されるわけではない。
【００２１】
表示部２２５は、図３に示すようになっており、略四角形状を成し、上述のパラメータの記載の横にそれぞれＬＥＤ等の点灯器２２５２を備えている。この点灯器２２５２は、制御部２２６の指示により点灯する。また、表示部２２５は、ＡＬＡＲＭ  ＭＥＭの記載の横に表示切換スイッチ２２５１を備えており、この表示切換スイッチ２２５１が押されることにより、表示切換指示が制御部２２６に付与される。
【００２２】
制御部２２６は、判定部２２３からの判定結果を受け取る。そして、この判定結果において、上述のパラメータのうち一つでも異常があると判定されると、アラーム信号を送受信部２２４を介してＤＶＯＲ装置１０に送信する。また、制御部２２６は、上述のパラメータのうち異常があると判定されたパラメータの点灯器２２５２を点灯させる。これにより、表示部２２５は、異常の要因を識別表示することになる。
【００２３】
また、制御部２２６は、トランスファ信号を送受信部２２４を介して受信した場合、そのときの表示部２２５の識別表示結果を第１の表示データとして記憶部２２７に記憶させる。制御部２２６は、シャットダウン信号を送受信部２２４を介して受信した場合、そのときの表示部２２５の識別表示結果を第２の表示データとして記憶部２２７にさらに記憶させる。
【００２４】
さらに制御部２２６は、記憶部２２７に第１の表示データのみが記憶されている場合に、表示部２２５から表示切換指示があると、表示部２２５に第１の表示データを表示させる。また、制御部２２６は、記憶部２２７に第２の表示データが記憶されると、表示部２２５に第２の表示データを標準的に表示させる。そして、制御部２２６は、記憶部２２７に第２の表示データが記憶されている場合に、表示部２２５からの表示切換指示があると、表示部２２５の表示を第２の表示データの表示から第１の表示データの表示に切り換える。
【００２５】
送受信部２２４は、アラーム信号をＤＶＯＲ装置１０に送信する。また、送受信部２２４は、ＤＶＯＲ装置１０からのトランスファ信号及びシャットダウン信号を受信する。
【００２６】
次に、上記構成のモニタ装置２０における制御部２２６の動作を説明する。図４は、本発明の一実施形態に係る制御部２２６が記憶部２２７に表示内容を記憶させる際の処理動作を示すフローチャートである。
【００２７】
まず、制御部２２６は、送受信部２２４でトランスファ信号が受信されたか否かを判定する（ステップ４ａ）。トランスファ信号が受信された場合（ステップ４ａのＹｅｓ）、そのときの表示部２２５の識別表示結果を第１の表示データとして記憶部２２７に記憶させる（ステップ４ｂ）。
【００２８】
続いて、制御部２２６は、送受信部２２４でシャットダウン信号が受信されたか否かを判定する（ステップ４ｃ）。シャットダウン信号が受信された場合（ステップ４ｃのＹｅｓ）、そのときの表示部２２５の識別表示結果を第２の表示データとして記憶部２２７に記憶させ（ステップ４ｄ）、処理を終了する。
【００２９】
図５は、本発明の一実施形態に係る制御部２２６が表示部２２５における表示内容を切り換える際の処理動作を示すフローチャートである。
【００３０】
まず、制御部２２６は、表示部２２５から表示切換指示があるか否かを判定する（ステップ５ａ）。表示部２２５からの表示切換指示がある場合（ステップ５ａのＹｅｓ）、記憶部２２７に第１の表示データが記憶されているか否かを判定する（ステップ５ｂ）。記憶部２２７に第１の表示データが記憶されていない場合（ステップ５ｂのＮｏ）、処理を終了する。記憶部２２７に第１の表示データが記憶されている場合（ステップ５ｂのＹｅｓ）、記憶部２２７に第２の表示データが記憶されているか否かを判定する（ステップ５ｃ）。記憶部２２７に第２の表示データが記憶されている場合（ステップ５ｃのＹｅｓ）、表示部２２５に表示されている第２の表示データを第１の表示データに切り換えて（ステップ５ｄ）、処理を終了する。記憶部２２７に第２の表示データが記憶されていない場合（ステップ５ｃのＮｏ）、表示部２２５に第１の表示データを表示させて（ステップ５ｅ）、処理を終了する。
【００３１】
以上のように、上記実施形態におけるＤＶＯＲ装置１０では、ＤＶＯＲ送信機を切り換える順序が予め設定され、切り換わりの際にトランスファ信号が送信され、ＤＶＯＲ信号の停止の際にはシャットダウン信号が送信される。モニタ装置２０は、ＤＶＯＲ装置１０からのトランスファ信号及びシャットダウン信号を受けると記憶部２２７に表示部２２５の識別表示結果を記憶させる。このため、記憶部２２７に記憶された第１及び第２の表示データの順序が、ＤＶＯＲ装置１０におけるＤＶＯＲ送信機の切換え順序と同一となる。つまり、この順序で第１及び第２の表示データの表示を切り換えることにより、表示部２２５に表示された異常の要因がいずれの送信機に由来するものなのかを判別することが可能となる。これにより、モニタ装置２０にＤＶＯＲ送信機毎に備えられていた表示部を共通化することが可能となる。また、モニタ装置２０のユーザは、いずれのＤＶＯＲ送信機から送信信号が選択されているのかをＤＶＯＲ装置１０から通知されなくても、表示部２２５に識別表示された異常の要因がいずれの送信機のものであるかを判別することが可能となる。
【００３２】
したがって、上記実施形態におけるモニタ装置は、小型化及び低コスト化を実現することができる。
【００３３】
なお、本発明は上記実施形態に限定されるものではない。例えば上記実施形態では、表示部２２５は、略四角形状を成し、表示切換スイッチ及び６つのパラメータ毎に設置された点灯器２２５２を備える例について説明したが、これに限定されるわけではない。例えば、表示部２２５が他の形状をしていても同様に実施可能であり、また、表示部２２５の表示方法が点灯器２２５２によるものでなくても同様に実施可能である。さらに、表示部２２５が記憶部２２７に第１の表示が記憶されたことを示す点灯器をさらに備える場合であっても同様に実施可能である。
【００３４】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３５】
【図１】本発明の一実施形態に係るＤＶＯＲシステムの構成を示すブロック図である。
【図２】図１のモニタ装置の機能構成を示すブロック図である。
【図３】図２の表示部を示す模式図である。
【図４】図２の制御部が記憶部に表示内容を記憶させる際の処理動作を示すフローチャートである。
【図５】図２の制御部が表示部における表示内容を切り換える際の処理動作を示すフローチャートである。
【符号の説明】
【００３６】
１０…ＤＶＯＲ装置
１１…現用系ＤＶＯＲ送信機
１２…冗長系ＤＶＯＲ送信機
１３…切換部
１４…制御部
１５…送受信部
１６…ＤＶＯＲ送信アンテナ
２０…モニタ装置
２１…モニタアンテナ
２２…信号監視部
２２１…復調部
２２２…処理部
２２３…判定部
２２４…送受信部
２２５…表示部
２２５１…表示切換スイッチ
２２５２…点灯器
２２６…制御部
２２７…記憶部
【図１】
2010038757.tif 000003
【図２】
2010038757.tif 000004
【図３】
2010038757.tif 000005
【図４】
2010038757.tif 000006
【図５】
2010038757.tif 000007